(57)【特許請求の範囲】
【請求項１】
縦型電気湯たんぽであって、
本体（１１）と圧力制御装置とを含み、前記本体（１１）の端部に取付ベース（２）が設けられ、前記取付ベース（２）に固定ボード（１２）が設けられ、前記固定ボード（１２）に電気コンセント（６）、回路基板（４）及び注水口（３）が取り付けられ、前記取付ベース（２）に加熱装置が固定され、前記加熱装置は、温度制御器（１０）及び発熱パッド（１）を含み、
前記圧力制御装置は、接点スイッチ（７）、弾性押圧部材（８）及び蓋体（９）を含み、前記接点スイッチ（７）は前記回路基板（４）に取り付けられ、前記弾性押圧部材（８）の頂部に浮動溝（８１）が設けられ、前記弾性押圧部材（８）の頂部の縁は外へ延びて取付リング（８２）を構成し、前記蓋体（９）は環状中空体であり、前記取付リング（８２）は、前記蓋体（９）内に位置し、前記弾性押圧部材（８）は前記蓋体（９）を介して前記取付ベース（２）に取り付けられ、取り付けられた前記弾性押圧部材（８）は、前記接点スイッチ（７）の真上に位置することを特徴とする縦型電気湯たんぽ。
【請求項２】
前記固定ボード（１２）の外部にコンセントベースカバー（５）が更に嵌設され、前記固定ボード（１２）及び前記コンセントベースカバー（５）にいずれもコンセント孔が設けられ、前記固定ボード（１２）の前後両側に係止スロット（１２１）が設けられ、前記コンセントベースカバー（５）内における対応する箇所に係止フック（５１）が設けられ、前記コンセントベースカバー（５）内にスライドレール（５２）が更に設けられ、前記スライドレール（５２）内にスライドボード（１４）が摺動可能に取り付けられ、前記スライドボード（１４）が所定の位置まで摺動してから前記コンセントベースカバー（５）におけるコンセント孔をぴったりと遮り、前記固定ボード（１２）の前後両側に更に突き出た係止ブロック（１２２）が設けられ、前記係止ブロック（１２２）の一端面は斜面となり、前記取付ベース（２）の内側の対応する位置に凹溝が設けられることを特徴とする
請求項１に記載の縦型電気湯たんぽ。
【請求項３】
前記取付ベース（２）は本体（１１）に封止接続され、取付ベース（２）上に本体（１１）が直接的に射出成形され、前記発熱パッド（１）はＰＴＣ発熱パッドであることを特徴とする
請求項１に記載の縦型電気湯たんぽ。
【請求項４】
前記温度制御器（１０）の高さは８．５センチメートルであることを特徴とする
請求項１に記載の縦型電気湯たんぽ。
【請求項５】
前記本体（１１）はシリカゲルからなり、その表面に相互交差する長尺状模様が設けられることを特徴とする
請求項１に記載の縦型電気湯たんぽ。
【請求項６】
前記弾性押圧部材（８）はシリカゲル又はＰＶＣ押圧パッドであることを特徴とする
請求項１に記載の縦型電気湯たんぽ。
【請求項７】
請求項１に記載の縦型電気湯たんぽと適合する充電台であって、
充電台ベースカバー（１３）、電源コード（１９）、充電台上蓋（１５）及び前記電気コンセント（６）と適合するコンセントコネクタ（１８）を含み、前記充電台上蓋（１５）に凹溝（１５１）が設けられ、前記凹溝（１５１）の底部に通電加熱孔が設けられ、前記コンセントコネクタ（１８）の底部は前記充電台ベースカバー（１３）に固定され、前記コンセントコネクタ（１８）のヘッド部は前記通電加熱孔を貫通し、前記コンセントコネクタ（１８）の上表面に２つの通電加熱口（１８１）が設けられ、通電加熱を必要とする場合、前記取付ベース（２）を前記凹溝（１５１）内に挿入し、前記電気コンセント（６）を前記通電加熱口（１８１）に通して前記電源コード（１９）と接触させることを特徴とする充電台。
【請求項８】
電源制御ＰＣ配線基板（２０）を更に含み、該配線基板にタクトスイッチ（１６）が設けられ、該タクトスイッチ（１６）は前記充電台上蓋（１５）の側面の孔（１５２）内に位置し、前記電源制御ＰＣ配線基板（２０）は、前記タクトスイッチ（１６）と前記電源コード（１９）を接続し、前記電気コンセント（６）は前記電源コード（１９）と接触してから、前記タクトスイッチ（１６）に触って通電加熱を開始し、加熱時間が最大２０分間となり、加熱を完了してから自動的に電気を遮断し、再び加熱を必要とすると、前記タクトスイッチ（１６）に再び触る必要があるように設定されることを特徴とする請求項７に記載の縦型電気湯たんぽと適合する充電台。
【発明の詳細な説明】
【技術分野】
【０００１】
本発明は家庭用電気製品分野に関し、具体的には、縦型電気湯たんぽ及びその充電台に関する。
【背景技術】
【０００２】
電気湯たんぽは、体を暖める柔らかなフィット性器具であり、好適な温熱治療用品でもあり、市場に受け入れられている。従来の電気湯たんぽについて、本体は、一般的には耐高温プラスチックフィルムと高強度複合繊維とを有機的に密封接合することで製造されたものである。その内部に熱容量の大きいエネルギー貯蔵媒体が貯蔵されており、また管状発熱部材により保温、温熱治療の機能を実現させる。しかしながら、管状発熱部材によりエネルギー貯蔵媒体を加熱すると、大量のガスを発生して、電気湯たんぽに膨張が生じるため、メーカーは、事故防止のために、温度制御装置、爆発防止ホルダ、ヒューズなどのような防護措置を取らなければならない。しかしながら、電気湯たんぽの爆発が起こることもあり、安全上のリスクが存在する。なお、管状発熱部材が媒体に浸漬されると、腐食しやすく、耐用年数が短くなり、１−２年間使用してから交換を必要とする。本体の接着部は、加工上の不具合により劣化して割れが生じ、媒体の漏れが発生し、布団や衣類を汚染することも引き起こされている。
【発明の概要】
【発明が解決しようとする課題】
【０００３】
本発明は、従来技術の欠陥を解消するために、縦型電気湯たんぽ及びその充電台を提供することを目的とする。
【課題を解決するための手段】
【０００４】
目的を達成するために、本発明に用いられる技術的解決手段は以下のとおりである。
【０００５】
縦型電気湯たんぽであって、本体を含み、前記本体の端部に取付ベースが設けられ、前記取付ベースに固定ボードが設けられ、前記固定ボードに電気コンセント、回路基板及び注水口が取り付けられ、前記取付ベースに加熱装置が固定され、前記加熱装置は、温度制御器及び発熱パッドを含む。
【０００６】
上記技術的解決手段の更なる最適化したものとして、圧力制御装置を更に含み、前記圧力制御装置は、接点スイッチ、弾性押圧部材及び蓋体を含み、前記接点スイッチは前記回路基板に取り付けられ、前記弾性押圧部材の頂部に浮動溝が設けられ、前記弾性押圧部材の頂部の縁は外へ延びて取付リングを構成し、前記蓋体は環状中空体であり、前記取付リングは、前記蓋体内に位置し、前記弾性押圧部材は前記蓋体を介して前記取付ベースに取り付けられ、取り付けられた前記弾性押圧部材は、ぴったりと前記接点スイッチの真上に位置する。
【０００７】
上記技術的解決手段の更なる最適化したものとして、前記固定ボードの外部にコンセントベースカバーが更に嵌設され、前記固定ボード及び前記コンセントベースカバーにいずれもコンセント孔が設けられ、前記電気コンセント固定ボードの前後両側に係止スロットが設けられ、前記コンセントベースカバー内における対応する箇所に係止フックが設けられ、前記コンセントベースカバー内にスライドレールが更に設けられ、前記スライドレール内にスライドボードが摺動可能に取り付けられ、前記スライドボードが所定の位置まで摺動してから前記コンセントベースカバーにおけるコンセント孔をぴったりと遮り、前記固定ボードの前後両側に更に突き出た係止ブロックが設けられ、前記係止ブロックの一端面は斜面となり、前記取付ベースの内側の対応する位置に凹溝が設けられる。
【０００８】
上記技術的解決手段の更なる最適化したものとして、前記取付ベースは本体に封止接続され、取付ベース上に本体が直接的に射出成形され、前記発熱パッドはＰＴＣ発熱パッドである。
【０００９】
上記技術的解決手段の更なる最適化したものとして、前記温度制御器の高さは８．５センチメートルである。
【００１０】
上記技術的解決手段の更なる最適化したものとして、前記本体はシリカゲルからなり、その表面に相互交差する長尺状模様が設けられる。
【００１１】
上記技術的解決手段の更なる最適化したものとして、前記弾性押圧部材はシリカゲル又はＰＶＣ押圧パッドである。
【００１２】
更に、前記縦型電気湯たんぽと適合する充電台であって、充電台ベースカバー、電源コード、充電台上蓋及び前記電気コンセントと適合するコンセントコネクタを含み、前記充電台上蓋に凹溝が設けられ、前記凹溝の底部に通電加熱孔が設けられ、前記コンセントコネクタの底部は前記充電台ベースカバーに固定され、前記コンセントコネクタのヘッド部は前記通電加熱孔を貫通し、前記コンセントコネクタの上表面に２つの通電加熱口が設けられ、通電加熱を必要とする場合、前記取付ベースを前記凹溝内に挿入し、前記電気コンセントを前記通電加熱口に通して前記電源コードと接触させることを特徴とする。
【００１３】
上記技術的解決手段の更なる最適化したものとして、電源制御ＰＣ配線基板を更に含み、該配線基板にタクトスイッチが設けられ、該タクトスイッチは前記充電台上蓋の側面の孔内に位置し、前記電源制御ＰＣ配線基板は、前記タクトスイッチと前記電源コードを接続し、前記電気コンセントは前記電源コードと接触してから、前記タクトスイッチに触って通電加熱を開始し、前記電源制御ＰＣ配線基板は、コンセントが空き状態を３秒間保持してから自動的に電気を遮断し、加熱時間が最大２０分間となり、加熱を完了してから自動的に電気を遮断し、再び加熱を必要とすると、前記タクトスイッチに再び触る必要があるように設定される。
【発明の効果】
【００１４】
従来技術と比べて、本発明の縦型電気湯たんぽは、縦型通電加熱方式を用いるものであり、その本体がシリカゲルにより一体として成形され、媒体の漏れが発生しにくく、加熱時、ＰＴＣセラミックス発熱パッドにより均一な発熱を実現させ、気泡が発生しにくく、電気湯たんぽの膨張の問題を解消し、また温度制御器、圧力制御装置及びタクトスイッチ等のような複数のオートパワーオフ安全装置が設けられ、不意の事態の発生を大幅に避け、安全性がより高い。
【図面の簡単な説明】
【００１５】
【図１】本発明に係る通電加熱の場合の立体構造を示す概略図である。
【図２】本発明に係る取付ベースの爆発構造を示す概略図である。
【図３】本発明に係る取付ベースの立体構造を示す概略図である。
【図４】本発明に係るコンセントベースカバーの立体構造を示す概略図である。
【図５】本発明に係る充電台の立体構造を示す概略図である。
【発明を実施するための形態】
【００１６】
以下に、図面及び発明を実施するための形態を参照しながら本発明を更に説明する。図１−４に示すように、縦型電気湯たんぽは、本体１１と、本体１１端部の取付ベース２と、取付ベース２における固定ボード１２とを備え、前記固定ボード１２に電気コンセント６、回路基板４及び注水口３が取り付けられ、前記取付ベース２に加熱装置が固定され、前記加熱装置は温度制御器１０とＰＴＣセラミックス発熱パッド１とを含む。ＰＴＣセラミックス発熱パッド１は発熱がより均一で、気泡が発生しにくい。
【００１７】
上記技術的解決手段において、更に圧力制御装置を更に備え、前記圧力装置は、接点スイッチ７、シリカゲル押圧部材８及び蓋体９を含み、前記接点スイッチ７は前記回路基板４に取り付けられ、前記シリカゲル押圧部材８の頂部に浮動溝８１が設けられ、前記弾性押圧部材８の頂部の縁は外へ延びて取付リング８２を構成し、前記蓋体９は環状中空体であり、前記取付リング８２は、前記蓋体９内に位置し、前記弾性押圧部材８は前記蓋体９を介して前記取付ベース２に取り付けられ、取り付けられた前記弾性押圧部材８は、ぴったりと前記接点スイッチ７の真上に位置する。ＰＴＣセラミックス発熱パッドは、加熱中、僅かな気泡を発生するため、温度制御器１０に故障が生じると、加熱中に電源を直ちに落とすことができなくなる。従って、加熱時間が長すぎると、本体１１の上部の気泡が次第に多くなって浮動溝８１内に入り、シリカゲル押圧部材８に作用する一定の圧力を発生し、シリカゲル押圧部材８が下へ運動して底部に到達して接点スイッチ７に触り、電源を落とすことを実現し、不意の事態の発生を防止する。
【００１８】
図４に示すように、前記固定ボード１２の外部にコンセントベースカバー５が更に嵌設され、前記固定ボード１２及び前記コンセントベースカバー５にいずれもコンセント孔が設けられ、前記固定ボード１２の前後両側に係止スロット１２１が設けられ、前記コンセントベースカバー５内における対応する箇所に係止フック５１が設けられ、前記コンセントベースカバー５内にスライドレール５２が更に設けられ、前記スライドレール５２内にスライドボード１４が摺動可能に取り付けられ、前記スライドボード１４が所定の位置まで摺動してから前記コンセントベースカバー５におけるコンセント孔をぴったりと遮り、電気コンセント６に対して防塵の役割を果たす。
【００１９】
前記固定ボード１２の前後両側に更に突き出た係止ブロック１２２が設けられ、前記係止ブロック１２２の一端面は斜面となり、前記取付ベース２の内側の対応する位置に凹溝が設けられる。固定ボード１２と取付ベース２は、係止ブロック１２２と凹溝との嵌合により組み立てられる。該構造により、固定ボード１２は取り外す可能となり、メンテナンスしやすくなる。
【００２０】
上記技術的解決手段において、前記温度制御器１０の高さは８．５センチメートルである。加熱を行う時、ＰＴＣセラミックス発熱パッド１の頂部の温度が高く、底部の温度が低いが、該高さで感知した温度が最も安定しており、実際の水温に最も近い。
【００２１】
上記技術的解決手段において、前記本体１１はシリカゲルからなる。シリカゲルは適度な可撓性を有し、一定の可塑性を有するが、形状が相対的に決まっており、膨張スペースが極めて限られているため、従来の管状発熱部材を僅かな気泡が発生するＰＴＣセラミックス発熱パッド１に改良した。
【００２２】
上記技術的解決手段において、前記本体１１の表面に相互交差する長尺状模様が形成され、自由に押圧されてもよい。
【００２３】
図５に示すように、上記技術的解決手段における縦型電気湯たんぽと適合する充電台であって、充電台ベースカバー１３、電源コード１９、充電台上蓋１５及び前記電気コンセント６と適合するコンセントコネクタ１８を含み、前記充電台上蓋１５に凹溝１５１が設けられ、前記凹溝１５１の底部に通電加熱孔が設けられ、前記コンセントコネクタ１８の底部は前記充電台ベースカバー１３に固定され、前記コンセントコネクタ１８のヘッド部は前記通電加熱孔を貫通し、前記コンセントコネクタ１８の上表面に２つの通電加熱口１８１が設けられ、通電加熱を必要とする場合、前記取付ベース２を前記凹溝１５１内に挿入し、前記電気コンセント６を前記通電加熱口１８１に通して前記電源コード１９と接触させる。
【００２４】
図５において、電源制御ＰＣ配線基板２０を更に含み、該配線基板にタクトスイッチ１６が設けられ、該タクトスイッチ１６は前記充電台上蓋１５の側面の孔１５２内に位置し、前記電源制御ＰＣ配線基板２０は、前記タクトスイッチ１６と前記電源コード１９を接続し、前記電気コンセント６は前記電源コード１９と接触してから、前記タクトスイッチ１６に触って通電加熱を開始し、前記電源制御ＰＣ配線基板２０は、コンセントが空き状態を３秒間保持してから自動的に電気を遮断し、加熱時間が最大２０分間となり、加熱を完了してから自動的に電気を遮断し、再び加熱を必要とすると、前記タクトスイッチ１６に再び触る必要があるように設定される。温度制御器１０及び圧力制御装置にいずれも故障が生じる場合においても、自動的に電気を遮断することができ、不意の事態の発生を防止する。電気湯たんぽの繰り返し加熱を防止するために、加熱を完了して自動的に電気を遮断した後、再び加熱を必要とすると、前記タクトスイッチ１６に再び触る。
【００２５】
本発明の縦型電気湯たんぽの組立プロセスは以下のとおりである。まず取付ベース２を製造してから、取付ベース２に温度制御器１０、ＰＴＣセラミックス発熱パッド１及び圧力制御装置のシリカゲル押圧部材８と蓋体９を取り付ける。続いて組み立てられた取付ベース２上に本体１１を直接的に射出成形する。成形された後、取付ベース２と本体１１は取り外す不可能となり、封止性が高く、水漏れを避けることができる。本発明において、取付ベース２の外周に複数の環状係止スロットを設け、射出成形した本体１１端部の内側に、それらに対応した複数の環状係止スロットを設けることで、封止性を高める。更に、接点スイッチ７、回路基板４、電気コンセント６及び注水口３を回路基板取付ボード１２に取り付け、回路基板１２を、係止ブロック１２２を介して取付ベース２内に係止する。最後にコンセントベースカバー５を電気コンセント固定ボード１２に嵌設し、両者を、係止フック５１と係止スロット１２１との嵌合により組み立て、電気湯たんぽの組立を完了する。通電加熱を必要としない場合、スライドボード１４を摺動させてコンセント孔を遮る。通電加熱を必要とする場合、スライドボード１４を摺動させてコンセント孔を露出させ、取付ベース２を凹溝１５１内に挿入し、タクトスイッチ１６に触って通電加熱する。
【００２６】
以上、本発明の好ましい実施例を詳しく説明する。当業者ならば、創造的な労力を費やすことなく、本発明の構想に基づき複数の修正や変型を生み出すことが可能であると解されるべきである。従って、当業者が本発明の思想に基づいて従来技術を踏まえて論理分析、推理又は有限な実験を通じて得られた技術的解決手段は、いずれも本発明の保護範囲内に含まれることは勿論である。
【図１】
0006928756.tif 000002
【図２】
0006928756.tif 000003
【図３】
0006928756.tif 000004
【図４】
0006928756.tif 000005
【図５】
0006928756.tif 000006